(57)【要約】      （修正有）【課題】ＷＤＭ技術を用いることにより、現存サービス周波数帯域に加えて少なくとも一つの新規サービス周波数帯域を増設可能にする周波数増設アンテナシステムを提供する。【解決手段】周波数増設分散アンテナシステムは、第１新規光線路を介して受信された現存サービス周波数帯域の第１ダウンリンク光信号及び新規サービス周波数帯域の第２ダウンリンク光信号を結合したダウンリンク光結合信号を第１現存光線路２００を介して伝送する追加マスターユニットと、ダウンリンク光結合信号を第２現存光線路２１０を介して分散伝送する統合型ハブと、統合型ハブからのダウンリンク光結合信号を受信して第１ダウンリンク光信号及び第２ダウンリンク光信号に分離し、第１ダウンリンク光信号を第２新規光線路５１２を介して現存リモートユニットに伝送し、第２ダウンリンク光信号に基づいて第２ＲＦ通信信号を生成してサービスを提供する追加リモートユニットとを含む。【選択図】図３
2020198582.tif 000002
【特許請求の範囲】
【請求項１】
第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送する追加マスターユニットと、
前記ダウンリンク光結合信号を第２現存光線路を介して分散伝送する統合型ハブと、
前記統合型ハブからの前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供する追加リモートユニットとを含む、
周波数増設分散アンテナシステム。
【請求項２】
前記追加マスターユニットは、第２基地局からの前記新規サービス周波数帯域の移動通信信号として、ＲＦ信号、ＩＦ信号、又はデジタルに変換された信号を受信し、前記ＲＦ信号又は前記ＩＦ信号はダウンリンクデジタル信号に変換して出力し、前記デジタルに変換されたダウンリンク信号はそのまま出力するデジタル信号変換部と、
前記ダウンリンクデジタル信号を処理して光伝送可能なデジタルフレームを生成する第１デジタルプロセッシング部と、
前記生成された光伝送可能なデジタルフレームを電光変換して前記第２ダウンリンク光信号を生成する第１電光／光電変換部と、
前記第１ダウンリンク光信号及び前記第２ダウンリンク光信号を結合して得た前記光結合信号を前記第１現存光線路を介して前記統合型ハブに伝送する第１ＷＤＭとを含み、
前記追加リモートユニットは、
前記第２現存光線路を介して伝送された前記ダウンリンク光結合信号を前記第１ダウンリンク光信号及び前記第２ダウンリンク光信号に分離し、前記第１ダウンリンク光信号は前記第２新規光線路を介して現存リモートユニットに伝送する第２ＷＤＭと、
前記分離された第２ダウンリンク光信号を光電変換してダウンリンクデジタル信号を生成する第２電光／光電変換部と、
前記ダウンリンクデジタル信号を処理する第２デジタルプロセッシング部と、
前記処理されたダウンリンクデジタル信号をＲＦ変換して前記第２ＲＦ通信信号を生成するＲＦ変換部とを含む、
請求項１に記載の周波数増設分散アンテナシステム。
【請求項３】
第１基地局からサービスされる前記現存サービス周波数帯域の移動通信信号を光フレーム変換した前記第１ダウンリンク光信号に変換し、前記第１新規光線路を介して前記追加マスターユニットに伝送する現存マスターユニットと、
前記第１ダウンリンク光信号に基づいて第１ＲＦ通信信号を生成して伝送する現存リモートユニットと、
前記現存リモートユニットからの前記第１ＲＦ通信信号と前記追加リモートユニットからの前記第２ＲＦ通信信号を周波数多重化して周波数多重化されたＲＦ信号を獲得し、アンテナを介してサービスカバレージ領域に伝送するマルチプレクサーとをさらに含む、
請求項１に記載の周波数増設分散アンテナシステム。
【請求項４】
第２新規光線路を介して受信された現存サービス周波数帯域の第１アップリンク光信号及び新規サービス周波数帯域の第２アップリンク光信号を結合して少なくとも一つのアップリンク光結合信号を生成し、第２現存光線路を介して伝送する少なくとも一つの追加リモートユニットと、
前記少なくとも一つの追加リモートユニットからの前記少なくとも一つのアップリンク光結合信号を統合して第１現存光線路を介して伝送する統合型ハブと、
前記統合型ハブからの前記アップリンク光結合信号を第１アップリンク光信号及び第２アップリンク光信号に分離し、前記第１アップリンク光信号は第１新規光線路を介して現存マスターユニットに伝送し、前記第２アップリンク光信号を光電変換してアップリンクデジタル信号を生成する追加マスターユニットとを含む、
周波数増設分散アンテナシステム。
【請求項５】
前記追加リモートユニットは、
前記第２アップリンクＲＦ信号を処理して前記アップリンクデジタル信号を生成する第２デジタルプロセッシング部と、
前記アップリンクデジタル信号を電光変換して前記第２アップリンク光信号を出力する第２電光／光電変換部と、
現存リモートユニットからの前記第１アップリンク光信号と前記第２アップリンク光信号を結合してアップリンク光結合信号を生成し、前記第２現存光線路を介して前記統合型ハブに伝送する第２ＷＤＭとを含み、
前記追加マスターユニットは、
前記統合型ハブからの前記アップリンク光結合信号を第１アップリンク光信号及び第２アップリンク光信号に分離し、前記第１アップリンク光信号は前記第１新規光線路を介して前記現存マスターユニットに伝送し、前記第２アップリンク光信号を出力する第１ＷＤＭと、
前記第１ＷＤＭからの前記第２アップリンク光信号を光電変換して前記アップリンクデジタル信号を生成する第１電光／光電変換部と、
前記アップリンクデジタル信号を第２基地局に伝送するか又はＲＦ信号、ＩＦ信号に変換して前記第２基地局に伝送するデジタル信号変換部とを含む、
請求項４に記載の周波数増設分散アンテナシステム。
【請求項６】
アンテナを介して受信されたＲＦ信号を周波数逆多重化して第１及び第２アップリンクＲＦ通信信号をそれぞれ出力するマルチプレクサーと、
前記第１アップリンクＲＦ通信信号に基づいて前記第１アップリンク光信号を生成し、前記第２新規光線路を介して前記追加リモートユニットに提供する前記現存リモートユニットと、
前記追加マスターユニットからの前記第１アップリンク光信号を前記第１新規光線路を介して受信し、移動通信信号に変換して第１基地局に伝送する前記現存マスターユニットとをさらに含む、
請求項４に記載の周波数増設分散アンテナシステム。
【請求項７】
第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送し、入力アップリンク光結合信号を第１アップリンク光信号及び第２アップリンク光信号に分離し、前記第１アップリンク光信号は第１新規光線路を現存マスターユニットに伝送し、前記第２アップリンク光信号を光電変換してアップリンクデジタル信号を生成する追加マスターユニットと、
前記ダウンリンク光結合信号を第２現存光線路を介して分散伝送し、少なくとも一つのアップリンク光結合信号を統合し、前記第１現存光線路を介して伝送する統合型ハブと、
前記統合型ハブからの前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供し、前記第２新規光線路を介して受信された現存サービス周波数帯域の第１アップリンク光信号及び新規サービス周波数帯域の第２アップリンク光信号を結合して少なくとも一つのアップリンク光結合信号を生成し、前記第２現存光線路を介して伝送する追加リモートユニットとを含む、
周波数増設分散アンテナシステム。
【請求項８】
第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送する段階と、
前記ダウンリンク光結合信号を第２現存光線路を介して分散伝送する段階と、
前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供する段階とを含む、
周波数増設方法。
【請求項９】
第２新規光線路を介して受信された現存サービス周波数帯域の第１アップリンク光信号及び新規サービス周波数帯域の第２アップリンク光信号を結合して少なくとも一つのアップリンク光結合信号を生成し、第２現存光線路を介して伝送する段階と、
前記少なくとも一つのアップリンク光結合信号を統合し、第１現存光線路を介して伝送する段階と、
前記アップリンク光結合信号を第１アップリンク光信号及び第２アップリンク光信号に分離し、前記第１アップリンク光信号は第１新規光線路を介して現存マスターユニットに伝送し、前記第２アップリンク光信号を光電変換してアップリンクデジタル信号を生成する段階とを含む、
周波数増設方法。
【請求項１０】
ダウンリンク通信モードでは、第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送する段階と、
前記ダウンリンク光結合信号を第２現存光線路を介して分散伝送する段階と、
前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供する段階とを含み、
アップリンク通信モードでは、第２新規光線路を介して受信された現存サービス周波数帯域の第１アップリンク光信号及び新規サービス周波数帯域の第２アップリンク光信号を結合して少なくとも一つのアップリンク光結合信号を生成し、第２現存光線路を介して伝送する段階と、
前記少なくとも一つのアップリンク光結合信号を統合し、第１現存光線路を介して伝送する段階と、
前記アップリンク光結合信号を第１アップリンク光信号及び第２アップリンク光信号に分離し、前記第１アップリンク光信号は第１新規光線路を介して現存マスターユニットに伝送し、前記第２アップリンク光信号を光電変換してアップリンクデジタル信号を生成する段階とを含む、
周波数増設方法。
【発明の詳細な説明】
【技術分野】
【０００１】
本発明は周波数増設に係り、より詳しくは基地局と使用者端末間の通信信号を中継する周波数増設分散アンテナシステム及び周波数増設方法に関する。
【背景技術】
【０００２】
移動通信の発達につれて使用者の移動通信使用量が急増しており、使用者は時間と空間に制約を受けずに安定的に通信サービスの提供を受けることを望んでいる。しかし、基地局の限定された出力、基地局の位置、周辺地形などの制約によって陰影地域が発生して事業者が使用者に円滑な通信サービスを提供しにくい問題があり、これを解消するための方案として、分散アンテナシステム（Ｄｉｓｔｒｉｂｕｔｅｄ  Ａｎｔｅｎｎａ  Ｓｙｓｔｅｍ、以下「ＤＡＳ」という）が用いられている。ＤＡＳは、ビルの内部、ビルの地下、地下鉄、トンネル、住居地域のアパート団地、スタジアムなどのように電波が受信できないか電波の受信が難しい地域に設置され、基地局の信号が到逹しにくい陰影地域までに通信サービスを提供することにより、基地局のカバレージを拡張させ、基地局と通信で連結されたマスターユニット、及び前記マスターユニットと光伝送媒体を介して連結され、使用者端末と通信で連結される少なくとも一つのリモート装置からなる。
【０００３】
このような従来ＤＡＳによれば、建物において光線路は普通建物を新築するときに計画的に設置するもので、既に建てられた建物に新規に又は追加に設置する場合、費用や時間が多くかかるということが問題である。
【先行技術文献】
【特許文献】
【０００４】
【特許文献１】韓国特許公開第１０−２０１４−０１２１１５５１号公報
【発明の概要】
【発明が解決しようとする課題】
【０００５】
本発明が解決しようとする課題は前述したような欠点を解決するためのもので、波長分割多重方式（Ｗａｖｅｌｅｎｇｔｈ  Ｄｉｖｉｓｉｏｎ  Ｍｕｌｔｉｐｌｅｘｉｎｇ；以下、「ＷＤＭ」という）技術を用いる光線路統合モジュールを保有している低費用の新規サービス装備を用いることにより、現存のサービス周波数帯域に加え、少なくとも一つの新規サービス周波数帯域を増設することができるようにする周波数増設アンテナシステム及び周波数増設方法を提供することに目的がある。
【課題を解決するための手段】
【０００６】
本発明による周波数増設分散アンテナシステムは、第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送する追加マスターユニットと、前記ダウンリンク光結合信号を第２現存光線路を介して分散伝送する統合型ハブと、前記統合型ハブからの前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供する追加リモートユニットとを含むことを特徴とする。
【０００７】
前記追加マスターユニットは、第２基地局からの前記新規サービス周波数帯域の移動通信信号として、ＲＦ信号、ＩＦ信号、又はデジタルに変換された信号を受信し、前記ＲＦ信号又は前記ＩＦ信号はダウンリンクデジタル信号に変換して出力し、前記デジタルに変換されたダウンリンク信号はそのまま出力するデジタル信号変換部と、前記ダウンリンクデジタル信号を処理して光伝送可能なデジタルフレームを生成する第１デジタルプロセッシング部と、前記生成された光伝送可能なデジタルフレームを電光変換して前記第２ダウンリンク光信号を生成する第１電光／光電変換部と、前記第１ダウンリンク光信号及び前記第２ダウンリンク光信号を結合して得た前記光結合信号を前記第１現存光線路を介して前記統合型ハブに伝送する第１ＷＤＭとを含み、前記追加リモートユニットは、前記第２現存光線路を介して伝送された前記ダウンリンク光結合信号を前記第１ダウンリンク光信号及び前記第２ダウンリンク光信号に分離し、前記第１ダウンリンク光信号は前記第２新規光線路を介して現存リモートユニットに伝送する第２ＷＤＭと、前記分離された第２ダウンリンク光信号を光電変換してダウンリンクデジタル信号を生成する第２電光／光電変換部と、前記ダウンリンクデジタル信号を処理する第２デジタルプロセッシング部と、前記処理されたダウンリンクデジタル信号をＲＦ変換して前記第２ＲＦ通信信号を生成するＲＦ変換部とを含むことができる。
【０００８】
前記周波数増設分散アンテナシステムは、第１基地局からサービスされる前記現存サービス周波数帯域の移動通信信号を光フレーム変換した前記第１ダウンリンク光信号に変換し、前記第１新規光線路を介して前記追加マスターユニットに伝送する現存マスターユニットと、前記第１ダウンリンク光信号に基づいて第１ＲＦ通信信号を生成して伝送する現存リモートユニットと、前記現存リモートユニットからの前記第１ＲＦ通信信号と前記追加リモートユニットからの前記第２ＲＦ通信信号を周波数多重化して周波数多重化されたＲＦ信号を獲得し、アンテナを介してサービスカバレージ領域に伝送するマルチプレクサーとをさらに含むことができる。
【０００９】
本発明の他の実施例による周波数増設分散アンテナシステムは、第２新規光線路を介して受信された現存サービス周波数帯域の第１アップリンク光信号及び新規サービス周波数帯域の第２アップリンク光信号を結合して少なくとも一つのアップリンク光結合信号を生成し、第２現存光線路を介して伝送する少なくとも一つの追加リモートユニットと、前記少なくとも一つの追加リモートユニットからの前記少なくとも一つのアップリンク光結合信号を統合して第１現存光線路を介して伝送する統合型ハブと、前記統合型ハブからの前記アップリンク光結合信号を第１アップリンク光信号及び第２アップリンク光信号に分離し、前記第１アップリンク光信号は第１新規光線路を介して現存マスターユニットに伝送し、前記第２アップリンク光信号を光電変換してアップリンクデジタル信号を生成する追加マスターユニットとを含むことを特徴とする。
【００１０】
前記追加リモートユニットは、前記第２アップリンクＲＦ信号を処理して前記アップリンクデジタル信号を生成する第２デジタルプロセッシング部と、前記アップリンクデジタル信号を電光変換して前記第２アップリンク光信号を出力する第２電光／光電変換部と、現存リモートユニットからの前記第１アップリンク光信号と前記第２アップリンク光信号を結合してアップリンク光結合信号を生成し、前記第２現存光線路を介して前記統合型ハブに伝送する第２ＷＤＭとを含み、前記追加マスターユニットは、前記統合型ハブからの前記アップリンク光結合信号を第１アップリンク光信号及び第２アップリンク光信号に分離し、前記第１アップリンク光信号は前記第１新規光線路を介して前記現存マスターユニットに伝送し、前記第２アップリンク光信号を出力する第１ＷＤＭと、前記第１ＷＤＭからの前記第２アップリンク光信号を光電変換して前記アップリンクデジタル信号を生成する第１電光／光電変換部と、前記アップリンクデジタル信号を第２基地局に伝送するか又はＲＦ信号、ＩＦ信号に変換して前記第２基地局に伝送するデジタル信号変換部とを含むことができる。
【００１１】
前記周波数増設分散アンテナシステムは、アンテナを介して受信されたＲＦ信号を周波数逆多重化して第１及び第２アップリンクＲＦ通信信号をそれぞれ出力するマルチプレクサーと、前記第１アップリンクＲＦ通信信号に基づいて前記第１アップリンク光信号を生成し、前記第２新規光線路を介して前記追加リモートユニットに提供する前記現存リモートユニットと、前記追加マスターユニットからの前記第１アップリンク光信号を前記第１新規光線路を介して受信し、移動通信信号に変換して第１基地局に伝送する前記現存マスターユニットとをさらに含むことができる。
【００１２】
本発明のさらに他の実施例による周波数増設分散アンテナシステムは、第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送し、入力アップリンク光結合信号を第１アップリンク光信号及び第２アップリンク光信号に分離し、前記第１アップリンク光信号は第１新規光線路を現存マスターユニットに伝送し、前記第２アップリンク光信号を光電変換してアップリンクデジタル信号を生成する追加マスターユニットと、前記ダウンリンク光結合信号を第２現存光線路を介して分散伝送し、少なくとも一つのアップリンク光結合信号を統合し、前記第１現存光線路を介して伝送する統合型ハブと、前記統合型ハブからの前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供し、前記第２新規光線路を介して受信された現存サービス周波数帯域の第１アップリンク光信号及び新規サービス周波数帯域の第２アップリンク光信号を結合して少なくとも一つのアップリンク光結合信号を生成し、前記第２現存光線路を介して伝送する追加リモートユニットとを含むことを特徴とする。
【００１３】
本発明の他の態様による周波数増設方法は、第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送する段階と、前記ダウンリンク光結合信号を第２現存光線路を介して分散伝送する段階と、前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供する段階とを含むことを特徴とする。
【００１４】
本発明の他の実施例による周波数増設方法は、第２新規光線路を介して受信された現存サービス周波数帯域の第１アップリンク光信号及び新規サービス周波数帯域の第２アップリンク光信号を結合して少なくとも一つのアップリンク光結合信号を生成し、第２現存光線路を介して伝送する段階と、前記少なくとも一つのアップリンク光結合信号を統合し、第１現存光線路を介して伝送する段階と、前記アップリンク光結合信号を第１アップリンク光信号及び第２アップリンク光信号に分離し、前記第１アップリンク光信号は第１新規光線路を介して現存マスターユニットに伝送し、前記第２アップリンク光信号を光電変換してアップリンクデジタル信号を生成する段階とを含むことを特徴とする。
【００１５】
本発明のさらに他の態様による周波数増設方法は、ダウンリンク通信モードでは、第１新規光線路を介して受信された現存サービス周波数帯域の第１ダウンリンク光信号及び新規サービス周波数帯域の第２ダウンリンク光信号を結合したダウンリンク光結合信号を第１現存光線路を介して伝送する段階と、前記ダウンリンク光結合信号を第２現存光線路を介して分散伝送する段階と、前記ダウンリンク光結合信号を受信して前記第１ダウンリンク光信号及び前記第２ダウンリンク光信号に分離し、前記第１ダウンリンク光信号は第２新規光線路を介して現存リモートユニットに伝送し、前記第２ダウンリンク光信号に基づいて第２ＲＦ通信信号を生成してサービスを提供する段階とを含み、アップリンク通信モードでは、第２新規光線路を介して受信された現存サービス周波数帯域の第１アップリンク光信号及び新規サービス周波数帯域の第２アップリンク光信号を結合して少なくとも一つのアップリンク光結合信号を生成し、第２現存光線路を介して伝送する段階と、前記少なくとも一つのアップリンク光結合信号を統合し、第１現存光線路を介して伝送する段階と、前記アップリンク光結合信号を第１アップリンク光信号及び第２アップリンク光信号に分離し、前記第１アップリンク光信号は第１新規光線路を介して現存マスターユニットに伝送し、前記第２アップリンク光信号を光電変換してアップリンクデジタル信号を生成する段階とを含むことを特徴とする。
【発明の効果】
【００１６】
本発明は、ＷＤＭ技術を用いる光線路統合モジュールを保有している新規サービス装備を用いることにより、現存に建物などに設置されたメイン光線路をそのまま維持したまま、現存の装備に新規サービス統合装備を付け加えてサービスをアドオン（Ａｄｄ−ｏｎ）することができる。追加の新規サービス装備はＷＤＭ技術を用いる光線路統合モジュールを保有しているので、既設された光線路を維持したまま、新規サービス統合装備を付け加えてサービスすることができる。既存にサービスを提供していた分散アンテナシステムに、現存光線路に比べて短い追加光線路を新規に設置して新規サービス装備と信号を結合することにより、既存に提供していたサービスをずっと提供することができる。ここで、新規の装備が現存装備のすぐそばに設置されるので、追加光線路の長さが非常に短く、そのため設置工程が簡素化して費用が低くかかる。
【図面の簡単な説明】
【００１７】
【図１】従来技術による分散アンテナシステムを示したブロック図である。
【図２】新規サービス周波数帯域が付け加わるにつれて新規サービス装備を追加に設置した現存方法の例を示したブロック図である。
【図３】本発明の実施例による周波数増設分散アンテナシステムの構成を示したブロック図である。
【図４】図３に示した追加マスターユニットの詳細構成を示したブロック図である。
【図５】図３に示した追加リモートユニットの詳細構成を示したブロック図である。
【発明を実施するための形態】
【００１８】
本発明の幾つかの実施例を詳細に説明するに先立ち、次の詳細な説明に記載されるか図面に示された構成要素の構成及び配列の詳細によってその応用が制限されるものではないことを理解しなければならない。本発明は他の実施例に具現されて実施されることができ、多様な方法で遂行されることができる。また、装置又は要素の方向（例えば「前（ｆｒｏｎｔ）」、「後（ｂａｃｋ）」、「上（ｕｐ）」、「下（ｄｏｗｎ）」、「上（ｔｏｐ）」、「下（ｂｏｔｔｏｍ）」、「左（ｌｅｆｔ）」、「右（ｒｉｇｈｔ）」、「横（ｌａｔｅｒａｌ）」）などの用語に関して本願に使用された表現及び述語は単に本発明の説明を単純化するために使われ、関連の装置又は要素が単に特定の方向を有しなければならないことを示すとかの意味ではない。
【００１９】
また、「第１（ｆｉｒｓｔ）」、「第２（ｓｅｃｏｎｄ）」のような用語は、説明のために本願及び添付の請求項に使われ、相対的な重要性又は趣旨を示すとか意味するように意図されない。
【００２０】
本発明は前記の目的を達成するために以下の特徴を有する。以下、添付図面に基づいて本発明の好適な実施例を詳細に説明する。説明に先立ち、本明細書及び請求範囲に使用された用語又は単語は通常的な又は辞書的な意味に限定して解釈するのでなく、発明者は自分の発明を最良の方法で説明するために用語の概念を適切に定義することができるという原則に従って本発明の技術的思想に合う意味と概念に解釈しなければならない。よって、本明細書に記載した実施例と図面に示した構成は本発明の最も好適な実施例に過ぎないものであるだけで、本発明の技術的思想を全部代弁するものではないので、本出願時点にこれらを取り替えることができる多様な均等物及び変形例があり得ることを理解しなければならない。
【００２１】
以下、本発明の好適な実施例を添付図面に基づいて詳細に説明する。
【００２２】
図１は従来技術による分散アンテナシステムを示したブロック図である。図２は新規サービス周波数が付け加わることによって新規サービス周波数帯域装備を追加に設置した既存の方法を示したブロック図である。
【００２３】
図１を参照すると、従来の分散アンテナシステムは、基地局と使用者端末間の通信信号を中継するために、マスターユニット１０、ハブユニット２０、多数のリモートユニット３０、光線路４０などから構成されることができる。
【００２４】
図２は新規サービス周波数帯域が付け加わることによって新規サービス装備を追加に設置した既存の方法の例を示したブロック図である。図２を参照すると、新規サービス周波数のために、ノードである新しい追加マスターユニット６０、追加ハブ７０、追加リモートユニット８０及び追加光線路９０、追加アンテナ９８、及び前記追加アンテナ９８のためのＲＦ同軸ケーブル９５も全て追加に設置されなければならないため、費用が増加し、設置のために現存建物の構造物又は既存に設置されている光線路又は設置用器物を解体して再び設置工事することも生じるため、工事も煩わしくて難しい。
【００２５】
前述した従来技術の問題点を解決するための本発明の好適な実施例による周波数増設分散アンテナシステムを添付図面に基づいて以下で詳細に説明する。
【００２６】
図３は本発明の実施例による周波数増設分散アンテナシステムの構成を示したブロック図である。
【００２７】
本発明の好適な実施例による周波数増設分散アンテナシステムは、現存マスターユニット１００、追加マスターユニット３００、統合型ハブ４００、追加リモートユニット５００、及びマルチプレクサー６００を含む。
【００２８】
現存マスターユニット１００は、第１基地局８５０からサービスされる現存サービス周波数帯域の移動通信信号を光フレーム変換した第１ダウンリンク光信号に変換し、第１新規光線路１１０を介して追加マスターユニット３００に伝送する。前記現存サービス周波数帯域の移動通信信号は、ＲＦ周波数信号、ＩＦ周波数信号又はデジタル信号を含むことができる。また、前記現存マスターユニット１００は前記追加マスターユニット３００からの前記第１アップリンク光信号を前記第１新規光線路１１０を介して受信し、移動通信信号に変換して第１基地局８５０に伝送する。
【００２９】
追加マスターユニット３００は、前記第１ダウンリンク光信号及び第２基地局９００からサービスされる新規サービス周波数帯域の第２ダウンリンク光信号を結合し、ダウンリンク光結合信号を第１現存光線路２００を介して伝送する。前記新規サービス周波数帯域は前記現存サービス周波数帯域と異なる。
【００３０】
前記第１ダウンリンク光信号と第２ダウンリンク光信号を単一光線路を介して伝送する方式は下記のようにおよそ二通りに区分して提示することができる。第１ダウンリンク光信号を第２ダウンリンク光信号とＷＤＭ  Ｃｏｍｂｉｎｅｒ／Ｓｐｌｉｔｔｅｒによって直接結合する方式、及び第１ダウンリンク光信号をデジタル信号に変換し、第２ダウンリンク光信号と一つのデジタルフレームで結合し、これを光信号に変換する方式（この場合、フレーマー／デフレーマー機能が必要）がある。
【００３１】
また、前記追加マスターユニット３００は、前記統合型ハブ４００からのアップリンク光結合信号を第１アップリンク光信号及び第２アップリンク光信号に分離し、前記第１アップリンク光信号を前記第１新規光線路１１０を介して現存マスターユニット１００に伝送し、前記第２アップリンク光信号を光電変換してアップリンクデジタル信号を生成する。
【００３２】
前記追加マスターユニット３００は、デジタル信号変換部３１０、第１デジタルプロセッシング部３２０、第１電光／光電変換部３３０、及び第１ＷＤＭ３４０を含む。
【００３３】
デジタル信号変換部３１０は、第２基地局９００からの前記新規サービス周波数帯域の移動通信信号として、ＲＦ信号、ＩＦ信号、又はデジタル変換された信号を受信し、前記ＲＦ信号又は前記ＩＦ信号はダウンリンクデジタル信号に変換して出力し、前記デジタル変換されたダウンリンク信号はそのまま第１デジタルプロセッシング部３２０に出力する。また、前記デジタル信号変換部３１０は、前記アップリンクデジタル信号を第２基地局９００に伝送するか、ＲＦ信号、ＩＦ信号に変換して前記第２基地局９００に伝送する。
【００３４】
第１デジタルプロセッシング部３２０は、前記ダウンリンクデジタル信号をフィルタリング及びコーディングなどのプロセッシング過程を介して光伝送可能なデジタルフレームを生成する。また、第１電光／光電変換部３３０は、前記生成されたデジタルフレームを電光変換して前記第２ダウンリンク光信号を生成する。第１電光／光電変換部３３０は、前記第１ＷＤＭ３４０からの前記第２アップリンク光信号を光電変換してアップリンクデジタル信号を生成する。
【００３５】
第１ＷＤＭ３４０は、前記現存マスターユニット１００からの前記第１ダウンリンク光信号及び前記第２ダウンリンク光信号を結合して得た前記光結合信号を前記第１現存光線路２００を介して前記統合型ハブ４００に伝送する。また、第１ＷＤＭ３４０は、前記統合型ハブ４００からの前記アップリンク光結合信号を第１アップリンク光信号及び第２アップリンク光信号に分離し、前記第１アップリンク光信号は前記第１新規光線路１１０を介して前記現存マスターユニット１００に伝送し、前記第２アップリンク光信号を第１電光／光電変換部３３０に出力する。
【００３６】
統合型ハブ４００は、前記光結合信号を第２現存光線路２１０を介して分散伝送する。また、統合型ハブ４００は、少なくとも一つの追加リモートユニット５００からの少なくとも一つのアップリンク光結合信号を統合し、前記第１現存光線路２００を介して前記追加マスターユニット３００に伝送する。
【００３７】
追加リモートユニット５００は、前記統合型ハブ４００からの前記ダウンリンク光結合信号を受信して前記第１ダウンリンク光信号及び前記第２ダウンリンク光信号に分離し、前記第１ダウンリンク光信号は第２新規光線路５１２を介して現存リモートユニット７００に伝送し、前記第２ダウンリンク光信号に基づく第２ＲＦ通信信号を生成してマルチプレクサー６００及びアンテナ８００を介してサービスを提供する。一方、前記現存リモートユニット７００は、前記第１ダウンリンク光信号に基づいて第１ＲＦ通信信号を生成してマルチプレクサー６００に伝送する。
【００３８】
追加リモートユニット５００は、前記マルチプレクサー６００からの第２アップリンクＲＦ通信信号に基づいて第２アップリンク光信号を生成し、前記現存リモートユニット７００からの前記第１アップリンク光信号及び前記第２アップリンク光信号を結合してアップリンク光結合信号を生成し、前記第２現存光線路２１０を介して統合型ハブ４００に伝送する。
【００３９】
前記追加リモートユニット５００は、第２ＷＤＭ５１０、第２電光／光電変換部５２０、第２デジタルプロセッシング部５３０、及びＲＦ変換部５４０を含む。
【００４０】
第２ＷＤＭ５１０は、前記第２現存光線路２１０を介して伝送された前記ダウンリンク光結合信号を前記第１ダウンリンク光信号及び前記第２ダウンリンク光信号に分離し、前記第１ダウンリンク光信号は前記第２新規光線路５１２を介して前記現存リモートユニット７００に伝送する。
【００４１】
また、第２ＷＤＭ５１０は、前記現存リモートユニット７００からの第１アップリンク光信号と前記第２電光／光電変換部５２０からの前記第２アップリンク光信号を結合してアップリンク光結合信号を生成し、第２現存光線路２１０を介して統合型ハブ４００に伝送する。
【００４２】
第２電光／光電変換部５２０は前記分離された第２ダウンリンク光信号を光／電変換してダウンリンクデジタル信号を生成する。また、前記第２電光／光電変換部５２０は、前記第２デジタルプロセッシング部５３０からの前記アップリンクデジタル信号を電／光変換して第２アップリンク光信号を出力する。
【００４３】
第２デジタルプロセッシング部５３０は前記ダウンリンクデジタル信号を処理する。また、前記第２デジタルプロセッシング部５３０は、前記マルチプレクサー６００からの前記第２アップリンクＲＦ信号を処理してアップリンクデジタル信号を生成する。ＲＦ変換部５４０は、前記処理されたダウンリンクデジタル信号をＲＦ変換して前記第２ＲＦ通信信号を生成し、マルチプレクサー６００に提供する。
【００４４】
マルチプレクサー６００は、前記現存リモートユニット７００から前記第１ＲＦ通信信号と前記追加リモートユニット５００からの前記第２ＲＦ通信信号を周波数多重化し、周波数多重化されたＲＦ信号を前記アンテナ８００を介してサービスカバレージ領域に伝送する。また、マルチプレクサー６００は、前記アンテナ８００を介して受信されたＲＦ信号を周波数逆多重化し、現存サービス周波数帯域及び新規サービス周波数帯域を有する第１及び第２アップリンクＲＦ通信信号をそれぞれ現存リモートユニット７００及び追加リモートユニット５００に提供する。前記現存リモートユニット７００は、前記マルチプレクサー６００からの前記第１アップリンクＲＦ通信信号に基づいて第１アップリンク光信号を生成し、第２新規光線路５１２を介して前記追加リモートユニット５００に提供する。
【符号の説明】
【００４５】
１００    現存マスターユニット
１１０    第１新規光線路
２００    第１現存光線路
２１０    第２現存光線路
３００    追加マスターユニット
３１０    デジタル信号変換部
３２０    第１デジタルプロセッシング部
３３０    第１電光／光電変換部
３４０    第１ＷＤＭ
４００    統合型ハブ
５００    追加リモートユニット
５１０    第２ＷＤＭ
５１２    第２新規光線路
５２０    第２電光／光電変換部
５３０    第２デジタルプロセッシング部
５４０    ＲＦ変換部
６００    マルチプレクサー
７００    現存リモートユニット
８００    アンテナ
８５０    第１基地局
９００    第２基地局
【図１】
2020198582.tif 000003
【図２】
2020198582.tif 000004
【図３】
2020198582.tif 000005
【図４】
2020198582.tif 000006
【図５】
2020198582.tif 000007